(57)【要約】【課題】読み取られた原稿に対応する送信データを好適に送信することができる通信装置を提供する。【解決手段】通信装置は、読み取られた一又は複数の原稿に対応する送信データを送信する。通信装置では、送信データを送信するための送信指令が取得された場合、送信データが送信され、送信指令が取得されない場合、送信データは記憶部に記憶される。通信装置では、記憶部に記憶された送信データに追加するデータ部分の原稿の読み取りを実行するための追加実行指令が取得される。通信装置では、追加実行指令が取得された状態で、送信指令が取得された場合、記憶部に記憶された送信データに、追加実行指令に対応する原稿の読み取りによるデータ部分を追加した新たな送信データが送信される。【選択図】図５
2014165555.tif 000002
【特許請求の範囲】
【請求項１】
読み取られた一又は複数の原稿に対応する送信データを送信するための通信装置であって、
原稿台に載せ置かれた原稿を読み取る読取部と、
前記送信データの送信先に対応する相手先情報を取得する第１取得部と、
前記読取部で原稿が読み取られた状態で、原稿の読み取りを繰り返して実行するための再実行指令を取得する第２取得部と、
前記送信データを送信するための送信指令を取得する第３取得部と、
前記送信データを送信する通信部と、
前記第３取得部で前記送信指令が取得された場合、前記第１取得部で取得された前記相手先情報に従い、前記通信部から前記送信データを送信するように制御する通信制御部と、
前記第３取得部で前記送信指令が取得されない場合、前記送信データを記憶部に記憶するように制御する記憶制御部と、
前記記憶制御部によって前記記憶部に記憶された前記送信データに追加するデータ部分の原稿の読み取りを実行するための追加実行指令を取得する第４取得部と、を備え、
前記通信制御部は、前記第４取得部で前記追加実行指令が取得された状態で、前記第３取得部で前記送信指令が取得された場合、前記第１取得部で取得された前記相手先情報に従い、前記通信部から、前記記憶部に記憶された前記送信データに、前記第４取得部で取得された前記追加実行指令に対応する原稿の読み取りによるデータ部分を追加した新たな送信データを送信するように制御する、通信装置。
【請求項２】
前記記憶部に記憶された前記送信データを指定するための指定情報を取得する第５取得部を備え、
前記記憶制御部は、前記送信データと前記指定情報とを対応付けし、
前記通信制御部は、前記第４取得部で前記追加実行指令が取得され、前記第５取得部で前記指定情報が取得された状態で、前記第３取得部で前記送信指令が取得された場合、前記通信部から、前記第５取得部で取得された前記指定情報に対応付けて前記記憶部に記憶された前記送信データに、前記第４取得部で取得された前記追加実行指令に対応する原稿の読み取りによるデータ部分を追加した前記新たな送信データを送信するように制御する、請求項１に記載の通信装置。
【請求項３】
前記第４取得部で取得された前記追加実行指令に対応する原稿の読み取りによるデータ部分を追加する位置を指定する位置情報を取得する第６取得部を備え、
前記通信制御部は、前記第４取得部で前記追加実行指令が取得され、前記第６取得部で前記位置情報が取得された状態で、前記第３取得部で前記送信指令が取得された場合、前記通信部から、前記記憶部に記憶された前記送信データに、前記第４取得部で取得された前記追加実行指令に対応する原稿の読み取りによるデータ部分を、前記第６取得部で取得された前記位置情報に対応する位置に追加した前記新たな送信データを送信するように制御する、請求項１又は請求項２に記載の通信装置。
【請求項４】
前記記憶部への記憶の対象となる前記送信データのための認証情報を取得する第７取得部を備え、
前記記憶制御部は、前記送信データと前記認証情報とを対応付けし、
前記第７取得部は、前記認証情報を、前記記憶部に送信データを記憶する場合と、前記通信部から前記新たな送信データを送信する場合と、に取得し、
前記通信制御部は、前記第４取得部で前記追加実行指令が取得され、前記第７取得部で取得された前記認証情報が前記記憶部に記憶された前記送信データに対応付けられた前記認証情報に一致する状態で、前記第３取得部で前記送信指令が取得された場合、前記通信部から前記新たな送信データを送信するように制御する、請求項１から請求項３の何れか１項に記載の通信装置。
【発明の詳細な説明】
【技術分野】
【０００１】
本発明は、読み取られた原稿に対応する送信データを送信するための通信装置に関する。
【背景技術】
【０００２】
読み取られた原稿に対応する送信データを送信するための通信装置に関する技術が提案されている。例えば、特許文献１のファクシミリ装置では、利用者によって原稿台に原稿がセットされ、さらに、Ｓｅｌｅｃｔキーが押し下げられると、セットされた原稿の読取りが開始される。ファクシミリ装置では、その後、ＬＣＤには、さらなる送信原稿の有無を確認するメッセージが表示され、さらなる送信原稿の有無が判断される。この表示に対する利用者のＳｅｌｅｃｔキーまたは操作キーの操作によって、さらなる送信原稿がある場合には、再び原稿台に原稿がセットされ、さらなる送信原稿がない場合には、送信が開始される。
【先行技術文献】
【特許文献】
【０００３】
【特許文献１】特開２００２−３０５６２６号公報
【発明の概要】
【発明が解決しようとする課題】
【０００４】
例えばファクシミリ装置のような通信装置では、利用者が原稿台に１枚ずつ原稿を載せ置き、その都度、原稿台に載せ置かれた原稿の読み取りが実行され、複数ページ分の送信データが生成される。このような通信装置の中には、最後の読み取りから所定時間経過すると、それまでの読み取りに対応して生成された送信データが自動的に送信される場合もある。送信対象の原稿が複数ページであって、順次繰り返して原稿を原稿台に載せ置き、その原稿を読み取り、複数ページ分のデータ部分を含む送信データを送信する場合、利用者が、その操作中に、全ページ分の原稿が揃っていないことに気が付くこともある。前述した仕様の通信装置では、不足していた原稿を準備している間に所定時間が経過してしまうと、それまでの読み取りに対応して生成された送信データが自動的に送信されることとなる。
【０００５】
本発明は、読み取られた原稿に対応する送信データを好適に送信することができる通信装置を提供することを目的とする。
【課題を解決するための手段】
【０００６】
本発明の一側面は、読み取られた一又は複数の原稿に対応する送信データを送信するための通信装置であって、原稿台に載せ置かれた原稿を読み取る読取部と、前記送信データの送信先に対応する相手先情報を取得する第１取得部と、前記読取部で原稿が読み取られた状態で、原稿の読み取りを繰り返して実行するための再実行指令を取得する第２取得部と、前記送信データを送信するための送信指令を取得する第３取得部と、前記送信データを送信する通信部と、前記第３取得部で前記送信指令が取得された場合、前記第１取得部で取得された前記相手先情報に従い、前記通信部から前記送信データを送信するように制御する通信制御部と、前記第３取得部で前記送信指令が取得されない場合、前記送信データを記憶部に記憶するように制御する記憶制御部と、前記記憶制御部によって前記記憶部に記憶された前記送信データに追加するデータ部分の原稿の読み取りを実行するための追加実行指令を取得する第４取得部と、を備え、前記通信制御部は、前記第４取得部で前記追加実行指令が取得された状態で、前記第３取得部で前記送信指令が取得された場合、前記第１取得部で取得された前記相手先情報に従い、前記通信部から、前記記憶部に記憶された前記送信データに、前記第４取得部で取得された前記追加実行指令に対応する原稿の読み取りによるデータ部分を追加した新たな送信データを送信するように制御する、通信装置である。
【０００７】
これによれば、送信指令が取得されない場合、送信データを記憶部に記憶し、例えば別の原稿の読み取りによるデータ部分が追加された新たな送信データを送信することができる。送信指令が取得されない場合に、それまでに読み取られた原稿に対応する送信データが自動的に送信されてしまうといった事態の発生を防止することができる。「送信指令」は、広く解釈される。「送信指令」は、送信データの送信を直接指令する指令の他、再実行指令に関する原稿の読み取りを繰り返して実行しないことを示す指令であってもよい。
【０００８】
この通信装置は、次のようにしてもよい。前記記憶部に記憶された前記送信データを指定するための指定情報を取得する第５取得部を備え、前記記憶制御部は、前記送信データと前記指定情報とを対応付けし、前記通信制御部は、前記第４取得部で前記追加実行指令が取得され、前記第５取得部で前記指定情報が取得された状態で、前記第３取得部で前記送信指令が取得された場合、前記通信部から、前記第５取得部で取得された前記指定情報に対応付けて前記記憶部に記憶された前記送信データに、前記第４取得部で取得された前記追加実行指令に対応する原稿の読み取りによるデータ部分を追加した前記新たな送信データを送信するように制御する、ようにしてもよい。これによれば、記憶部に記憶された特定の送信データに、新たなデータ部分を追加することができる。未送信状態の複数の送信データを対象として、データ部分の追加を好適に実行することができる。
【０００９】
前記第４取得部で取得された前記追加実行指令に対応する原稿の読み取りによるデータ部分を追加する位置を指定する位置情報を取得する第６取得部を備え、前記通信制御部は、前記第４取得部で前記追加実行指令が取得され、前記第６取得部で前記位置情報が取得された状態で、前記第３取得部で前記送信指令が取得された場合、前記通信部から、前記記憶部に記憶された前記送信データに、前記第４取得部で取得された前記追加実行指令に対応する原稿の読み取りによるデータ部分を、前記第６取得部で取得された前記位置情報に対応する位置に追加した前記新たな送信データを送信するように制御する、ようにしてもよい。これによれば、追加されるデータ部分を、好適な位置に追加することができる。例えば、全５ページの原稿のうち４ページ目を除く原稿に対応する送信データが記憶部に記憶されていた場合、４ページ目の原稿に対応するデータ部分を、４ページ目の位置に追加した新たな送信データとすることができる。好適な順序とされた新たな送信データを送信することができる。
【００１０】
前記記憶部への記憶の対象となる前記送信データのための認証情報を取得する第７取得部を備え、前記記憶制御部は、前記送信データと前記認証情報とを対応付けし、前記第７取得部は、前記認証情報を、前記記憶部に送信データを記憶する場合と、前記通信部から前記新たな送信データを送信する場合と、に取得し、前記通信制御部は、前記第４取得部で前記追加実行指令が取得され、前記第７取得部で取得された前記認証情報が前記記憶部に記憶された前記送信データに対応付けられた前記認証情報に一致する状態で、前記第３取得部で前記送信指令が取得された場合、前記通信部から前記新たな送信データを送信するように制御する、ようにしてもよい。これによれば、記憶部に記憶された送信データのセキュリティを確保することができる。
【発明の効果】
【００１１】
本発明によれば、読み取られた原稿に対応する送信データを好適に送信することができる通信装置を得ることができる。
【図面の簡単な説明】
【００１２】
【図１】通信装置の一例を示すブロック図である。
【図２】通信装置の原稿台に原稿を載せ置いた状態の一例を示す図である。
【図３】保留ジョブテーブルの一例を示す図である。
【図４】送信処理の第１部分を示すフローチャートである。
【図５】送信処理の第２部分を示すフローチャートである。
【図６】送信種別選択画面の一例を示す図である。
【図７】パスワード入力画面の一例を示す図である。
【図８】次ページ確認画面の一例を示す図である。
【図９】ジョブ指定画面の一例を示す図である。
【図１０】処理選択画面の一例を示す図である。
【発明を実施するための形態】
【００１３】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１４】
＜通信装置＞
通信装置１０は、ネットワーク６０に接続され、ネットワーク６０に接続された相手先装置５０（図１では１台のみ図示）との間で、読み取られた原稿に対応するデータの送受信を実行する。例えば、通信装置１０は、自装置で読み取られた原稿に対応するデータを、相手先装置５０にファクシミリ送信する。この場合、通信装置１０と相手先装置５０は、ファクシミリ機能を有する通信装置である。通信装置１０は、ファクシミリ機能の他、例えば、スキャン機能及びコピー機能を有する。本実施形態では、通信装置１０から送信される読み取られた原稿に対応するデータを、「送信データ」といい、送信データは、通信装置１０から相手先装置５０にファクシミリ送信されるものとする。送信データは、読み取られた原稿に対応するデータ部分を含む。読み取られた原稿が複数ページである場合、送信データは、複数ページ分のデータ部分によって構成される。ネットワーク６０としては、電話回線又は光回線のような各種の公衆回線が例示される。
【００１５】
通信装置１０は、図１及び図２に示すように、ＣＰＵ１２と、ＲＯＭ１４と、ＲＡＭ１６と、記憶部１８と、原稿台２０と、原稿台カバー２２と、読取部２４と、印刷部２６と、操作部２８と、表示部３０と、音声出力部３２と、通信部３４と、計時部３６を備える。通信装置１０が備えるこれら各部のうち、原稿台２０及び原稿台カバー２２（図２参照）を除く各部は、バス３８に接続される（図１参照）。ＣＰＵ１２は、演算処理を実行し、通信装置１０を制御する。ＲＯＭ１４は、通信装置１０で実行される各種の処理のためのコンピュータプログラムを記憶する。ＲＯＭ１４に記憶されたコンピュータプログラムには、例えば、後述する送信処理（図４及び図５参照）のためのコンピュータプログラムが含まれる。ＲＡＭ１６は、ＣＰＵ１２が各種のコンピュータプログラムを実行する際に利用される記憶領域となる。ＲＡＭ１６には、所定のデータ（情報）が記憶される。例えば、図３に示す保留ジョブテーブルが記憶される。
【００１６】
保留ジョブテーブルは、送信処理において、未送信となった送信データを管理するための管理部である。保留ジョブテーブルには、ジョブ番号（ジョブＮｏ．）と、相手先情報と、設定日時と、ポインタと、ページ数と、パスワードが対応付けて登録される。ジョブ番号は、保留ジョブテーブルに登録された保留ジョブを識別する番号である。相手先情報は、送信データの送信先となる相手先装置５０の宛先情報である。ファクシミリ送信を例とする本実施形態では、相手先情報は、相手先装置５０のＦＡＸ番号である。設定日時は、送信処理において前述した各情報が対応付けられた保留ジョブが保留ジョブテーブルに登録された日時を示す。ポインタは、各送信データを示す情報、詳細には、保留ジョブテーブルでの管理対象である送信データが記憶されている場所を示す記憶先情報である。ページ数は、送信データが何ページ分のデータであるかを示す情報である。例えば、送信処理において、原稿の読み取りが１回行われ、１ページ分の原稿に対応する送信データが生成されていた場合、ページ数は「１」とされる（図３に示す「ジョブＮｏ．：１」のレコード参照）。送信処理において、原稿の読み取りが５回行われ、５ページ分の原稿に対応する送信データが生成されていた場合、ページ数は「５」とされる（図３に示す「ジョブＮｏ．：２」のレコード参照）。パスワードは、保留ジョブテーブルでの管理対象である送信データのための認証情報である。
【００１７】
ＣＰＵ１２は、ＲＯＭ１４に記憶された各種のコンピュータプログラムを実行する等して、通信装置１０を制御する。これによって、通信装置１０では、各種の処理が実行され、各種の機能が実現される。
【００１８】
記憶部１８は、例えば、フラッシュメモリ等の不揮発性のメモリである。記憶部１８には、所定のデータが記憶される。例えば、送信処理において、保留ジョブテーブルでの管理対象となった送信データは、記憶部１８に記憶される。保留ジョブテーブルは、ＲＡＭ１６ではなく、記憶部１８に記憶されるようにしてもよい。なお、保留ジョブテーブルでの管理対象となった送信データは、ＲＡＭ１６に記憶されるようにしてもよい。この場合、ＲＡＭ１６は、前述した送信データを記憶するための記憶部として機能する。本実施形態では、保留ジョブテーブルはＲＡＭ１６に記憶され、管理対象の送信データは、記憶部１８に記憶されることとする。
【００１９】
原稿台２０は、読取対象の原稿が載せ置かれるテーブルである。原稿台２０は、例えば、透明の板状部材によって形成される。原稿台カバー２２は、原稿台２０を覆うカバー部材であり、通信装置１０に開閉自在に設けられる。原稿台カバー２２は、原稿台２０に原稿を載せ置く場合、図２に示すように開かれた状態とされ、原稿の読み取りが実行される場合、閉じられた状態とされる。読取部２４は、原稿台２０に載せ置かれた原稿を読み取る。読取部２４は、ＣＣＤ又はＣＩＳのようなイメージセンサを含む。
【００２０】
通信装置１０の利用者は、相手先装置５０にファクシミリ送信する場合、原稿台カバー２２を開き、原稿台２０に原稿を載せ置く（図２参照）。ファクシミリ送信の対象となる原稿が複数ページ（複数枚）ある場合、読み取りが終了する都度、原稿台カバー２２を開閉する等し、原稿台２０に載せ置かれた原稿を手動にて交換する。このような操作手順は、ファクシミリ機能を有する公知の通信装置の場合と同じである。
【００２１】
印刷部２６は、通信装置１０で、例えば、相手先装置５０からファクシミリ送信された送信データが受信された場合、受信された送信データに対応する画像を記録用紙に印刷する。印刷部２６は、例えばインクジェット方式又はレーザ方式の印刷装置によって構成される。操作部２８は、図２に示すように、ＦＡＸキー、テンキー、スタートキー及びキャンセルキーのような複数のキーを含む。操作部２８に含まれるキーとしては、前述したキーの他、スキャンキー、コピーキー、カーソルキー及び確定キー（ＯＫキー）が例示される（図２参照）。
【００２２】
ＦＡＸキーは、ファクシミリ機能を介したファクシミリ送信を利用する場合に押下される。スタートキーは、送信動作を開始させる場合に押下される。テンキーは、相手先情報を入力する場合と、表示部３０に表示された所定の画面に応じて所定の入力を行う場合等に押下される。キャンセルキーは、開始させた処理等をキャンセルする場合に押下される。利用者は、操作部２８に含まれる各種の指令等に対応付けられたキーを操作することで、各種の指令等を通信装置１０に入力することができる。
【００２３】
表示部３０は、諸情報を表示するためのディスプレイである。音声出力部３２は、報知音を含む所定の音声を出力するためのスピーカである。通信部３４は、ネットワーク６０に接続され、ネットワーク６０を介した通信を実行する。例えば、通信部３４は、送信データを送受信する。通信部３４は、ファクシミリ機能を有する公知の通信装置と同様、ネットワーク６０の種別に応じた所定のネットワークインターフェースを含む。計時部３６は、カレンダー機能を有し、現在の時刻を計時する。
【００２４】
相手先装置５０は、ファクシミリ機能を有する公知の通信装置である。相手先装置５０は、通信装置１０と同一の装置であってもよい。従って、相手先装置５０に関する説明は省略する。
【００２５】
＜送信処理＞
通信装置１０で実行される送信処理について、図４及び図５を参照して説明する。送信処理は、例えば、利用者が操作部２８のＦＡＸキーを押下した場合に開始される。送信処理を開始したＣＰＵ１２は、ＲＡＭ１６に記憶された保留ジョブテーブルにアクセスし、保留ジョブが登録されているか否かを判断する（Ｓ１００）。保留ジョブテーブルに保留ジョブが登録されていない場合（Ｓ１００：Ｎｏ）、ＣＰＵ１２は、処理をＳ１０４に移行する。保留ジョブテーブルに保留ジョブが登録されている場合（Ｓ１００：Ｙｅｓ）、ＣＰＵ１２は、送信種別選択画面を表示するように制御する。この制御によって表示部３０には、例えば、図６に示すような送信種別選択画面が表示される。送信種別選択画面は、今回のファクシミリ送信が、新規送信であるか、保留ジョブテーブルで管理されている送信データを対象としたものであるかを選択するための選択画面である。
【００２６】
送信種別選択画面を表示部３０に表示させた後、ＣＰＵ１２は、今回のファクシミリ送信が新規送信であるか否かを判断する（Ｓ１０２）。利用者は、送信種別選択画面の表示に応じて操作部２８のテンキーを操作し、「１．はい」又は「２．いいえ」を入力する。具体的に、今回のファクシミリ送信が新規送信である場合、利用者は、操作部２８の「１」キーを押下する。一方、今回のファクシミリ送信が保留ジョブテーブルで管理されている送信データを対象としたものである場合、操作部２８の「２」キーを押下する。利用者が操作部２８の「１」キーを押下した場合（Ｓ１０２：Ｙｅｓ）、ＣＰＵ１２は、処理をＳ１０４に移行する。Ｓ１０４でＣＰＵ１２は、利用者が操作部２８を操作して入力された相手先情報及びスタート指令を取得する。
【００２７】
Ｓ１００が否定（Ｓ１００：Ｎｏ）された状態でＳ１０４が実行されている場合、利用者は、ＦＡＸキーを押下した後、続けて、操作部２８のテンキーを押下して相手先情報を入力する。更に、利用者は、相手先情報を入力した後、操作部２８のスタートキーを押下してスタート指令を入力する。Ｓ１０２が肯定（Ｓ１０２：Ｙｅｓ）された状態でＳ１０４が実行されている場合、利用者は、操作部２８の「１」キーを押下した後、続けて、操作部２８のテンキーを押下して相手先情報を入力する。更に、利用者は、相手先情報を入力した後、操作部２８のスタートキーを押下してスタート指令を入力する。
【００２８】
相手先情報及びスタート指令を取得した後、ＣＰＵ１２は、パスワード入力画面を表示するように制御する。この制御によって表示部３０には、図７に示すようなパスワード入力画面（初期状態では図７に示す「＊＊＊＊」は非表示）が表示される。パスワード入力画面は、今回のファクシミリ送信が保留された場合（図４のＳ１１０：タイムアウト  参照）に、送信データのためのパスワードとなる文字列の入力を要求するための入力画面である。パスワードは、例えば、４桁の数字とされる。利用者は、パスワード入力画面の表示に応じて操作部２８のテンキーを操作し、パスワードとしての４桁の数字を入力する。ＣＰＵ１２は、数字の入力に合わせ、例えば、「＊」を順次表示するように制御する。利用者は、パスワード入力画面に表示される「＊」によって、入力桁数を把握することができる。ＣＰＵ１２は、入力されたパスワードを取得する（Ｓ１０６）。
【００２９】
続けて、ＣＰＵ１２は、「原稿台に原稿を載せ置いて下さい」との情報を含むメッセージ画面（不図示）を表示するように制御する。この制御によって表示部３０には、前述した情報を含むメッセージ画面が表示される。利用者は、原稿台カバー２２を開き、原稿を原稿台２０に載せ置き、原稿台カバー２２を閉じる。ＣＰＵ１２は、原稿台２０に載せ置かれた原稿（１ページ分）の読み取りを実行するように制御する（Ｓ１０８）。読取部２４では、原稿台２０に載せ置かれた原稿の読み取りが実行される。これに伴い、読み取られた原稿に対応するデータ部分が生成される。生成されたデータ部分は、送信データとなる。このタイミングでは、送信データは、ＲＡＭ１６に記憶される。
【００３０】
読取部２４での読み取りが完了した後、ＣＰＵ１２は、次ページ確認画面を表示するように制御する。この制御によって表示部３０には、例えば、図８に示すような次ページ確認画面が表示される。次ページ確認画面は、原稿の読み取りを繰り返すか否かを確認するための確認画面である。次ページ確認画面を表示部３０に表示させた後、ＣＰＵ１２は、次ページの有無を判断する（Ｓ１１０）。利用者は、次ページ確認画面の表示に応じて操作部２８のテンキーを操作し、「１．はい」又は「２．いいえ」を入力する。具体的に、次ページの原稿がある場合、利用者は、原稿台カバー２２を開き、次ページの原稿を原稿台２０に載せ置き、原稿台カバー２２を閉じ、操作部２８の「１」キーを押下する。送信する全ての原稿についての読み取りが終了し、次ページの原稿がない場合、利用者は、操作部２８の「２」キーを押下する。
【００３１】
次ページの原稿がある状態で、次ページ確認画面の表示に応じて、利用者が操作部２８の「１」キーを押下した場合（Ｓ１１０：あり）、ＣＰＵ１２は、処理をＳ１０８に戻し、再度、原稿台２０に載せ置かれた原稿（１ページ分）の読み取りを実行するように制御する（Ｓ１０８）。読取部２４では、原稿台２０に載せ置かれた原稿の読み取りが実行される。これに伴い、読み取られた原稿に対応するデータ部分が生成され、生成済みのデータ部分による送信データに、今回の読み取りによるデータ部分が含められる。送信データにおける複数のデータ部分の順序は、読み取りの順とされる。即ち、今回の読み取りによるデータ部分は、前回の読み取りによるデータ部分の次とされる。再度の読み取りが完了した後、ＣＰＵ１２は、上述したＳ１１０を繰り返して実行する。
【００３２】
次ページの原稿がない状態で、次ページ確認画面の表示に応じて、利用者が操作部２８の「２」キーを押下した場合（Ｓ１１０：なし）、ＣＰＵ１２は、Ｓ１０４で取得された相手先情報を宛先として、実行済みのＳ１０８での読み取りによる全てのデータ部分を含む送信データをファクシミリ送信するように制御する（Ｓ１１２）。通信部３４では、送信データが、相手先情報に対応する相手先装置５０にファクシミリ送信される。Ｓ１１２を実行した後、ＣＰＵ１２は、ＲＡＭ１６に記憶された送信データを削除し、送信処理を終了する。
【００３３】
次ページ確認画面の表示に対して、利用者が操作部２８の「１」及び「２」キーを押下せず、次ページ確認画面の表示からタイムアウト時間として予め設定された時間が経過した場合（Ｓ１１０：タイムアウト）、ＣＰＵ１２は、生成された送信データを、記憶部１８に記憶するように制御する。そして、ＣＰＵ１２は、Ｓ１０４で取得された相手先情報と、設定日時と、ポインタと、ページ数と、Ｓ１０６で取得されたパスワードを対応付けて保留ジョブテーブルに登録するように制御する（Ｓ１１４）。その際、ＣＰＵ１２は、実行済みのＳ１０８での読み取りによる全てのデータ部分を含む送信データを、記憶部１８に記憶するように制御する。ポインタは、ここで記憶された送信データの記憶先情報とされる。保留ジョブテーブルに対応付けて登録された前述した各情報は、保留ジョブとして管理される。
【００３４】
例えば、Ｓ１０４で取得された相手先情報が「００６−７７７−８８８８」で、現在日時が「２０１２年１０月２９日  １９：００」で、送信データが記憶部１８の「△△△△△」に記憶され、「５ページ」分の原稿が読み取られ、Ｓ１０６で取得されたパスワードが「２３４５」であり、更に、保留ジョブテーブルに既に図３に示す「ジョブＮｏ．：１」の保留ジョブが登録されていたとする。この場合、Ｓ１１４でＣＰＵ１２は、前述した各情報に基づき、「ジョブＮｏ．：２」として、図３に示すような各情報を登録するように制御する。これら各情報は、記憶部１８に記憶された送信データと共に、「ジョブＮｏ．：２」の保留ジョブとして管理される。Ｓ１１４を実行した後、ＣＰＵ１２は、ＲＡＭ１６に記憶された送信データを削除し、送信処理を終了する。
【００３５】
説明をＳ１０２に戻し、送信種別選択画面（図６参照）の表示に応じて、利用者が、操作部２８の「２」キーを押下した場合（Ｓ１０２：Ｎｏ）、ＣＰＵ１２は、処理をＳ１１６（図５参照）に移行する。Ｓ１１６への移行に際し、ＣＰＵ１２は、ジョブ指定画面を表示するように制御する。この制御によって表示部３０には、例えば、図９に示すようなジョブ指定画面が表示される。ジョブ指定画面は、保留ジョブテーブルに登録された保留ジョブのうちの１つの保留ジョブを指定するための指定画面である。ジョブ指定画面は、保留ジョブテーブルに従い表示される。ジョブ指定画面に含まれる保留ジョブは、保留ジョブテーブルに登録されている保留ジョブに対応し、ジョブ指定画面で各「Ｎｏ．」に対応付けられた「相手先情報」、「設定日時」及び「ページ数」は、保留ジョブテーブルにおいて、ジョブ指定画面の「Ｎｏ．」と同一番号の「ジョブＮｏ．」に対応付けられた「相手先情報」、「設定日時」及び「ページ数」に一致する。
【００３６】
利用者は、ジョブ指定画面の表示に応じ、操作部２８のテンキーを操作し、目的の保留ジョブを１つ指定する。例えば、目的の保留ジョブがジョブ指定画面における「Ｎｏ．２」である場合、利用者は、操作部２８の「２」キーを押下する。ジョブ指定画面の表示に応じ、利用者が操作部２８のテンキーを押下した場合、ＣＰＵ１２は、押下されたテンキーに対応する番号の保留ジョブを特定する（Ｓ１１６）。
【００３７】
保留ジョブを特定した後、ＣＰＵ１２は、パスワード入力画面（図７参照  但し、初期状態では「＊＊＊＊」は非表示）を表示するように制御する。この制御によって表示部３０には、パスワード入力画面が表示される。利用者は、操作部２８のテンキーの押下に対応してＳ１１６で特定された保留ジョブのためのパスワードを入力する。パスワードの入力及びその際の処理については、上記同様であるため、省略する。ＣＰＵ１２は、入力されたパスワードを取得し（Ｓ１１８）、取得されたパスワードがＳ１１６で特定された保留ジョブに対応付けられたパスワードに一致するか否かを判断する（Ｓ１２０）。ＣＰＵ１２は、保留ジョブテーブルにアクセスし、Ｓ１１６で特定された保留ジョブに対応付けられたパスワードを取得する。
【００３８】
入力されたパスワードと取得されたパスワードが一致していない場合（Ｓ１２０：Ｎｏ）、ＣＰＵ１２は、エラー処理を実行する（Ｓ１２２）。具体的に、Ｓ１２２でＣＰＵ１２は、「パスワードが一致しません」との情報を含むメッセージ画面（不図示）を表示するように制御すると共に、予め定めた拒否音を出力するように制御する。この制御によって表示部３０には、前述した情報を含むメッセージ画面が表示され、音声出力部３２から予め定めた拒否音が出力される。Ｓ１２２を実行した後、所定時間経過した場合、ＣＰＵ１２は、送信処理を終了する。再度、送信処理を開始させる場合、利用者は、操作部２８のＦＡＸキーを押下する。なお、パスワードが一致しない場合（Ｓ１２０：Ｎｏ）、「パスワードが一致しません」との情報を含むメッセージ画面を表示した後、再度、パスワード入力画面を表示し、パスワードの再入力を受け付けるようにしてもよい。この場合において、所定回数連続してパスワードが一致しない場合、送信処理を終了するようにしてもよい。
【００３９】
入力されたパスワードと取得されたパスワードが一致した場合（Ｓ１２０：Ｙｅｓ）、ＣＰＵ１２は、例えば、図１０に示すような処理選択画面を表示するように制御する。この制御によって表示部３０には、例えば、図１０に示すような処理選択画面が表示される。処理選択画面は、Ｓ１１６で特定された保留ジョブにおける送信データに対する処理を選択するための選択画面である。選択肢としての「１．原稿追加」は、新たに原稿の読み取りを行い、新たに読み取られた原稿に対応するデータ部分を、Ｓ１１６で特定された保留ジョブにおける送信データに追加し、追加後の新たな送信データを、この保留ジョブにおける相手先情報を宛先としてファクシミリ送信する場合に選択される。「２．送信」は、Ｓ１１６で特定された保留ジョブにおける送信データをそのまま、この保留ジョブにおける相手先情報を宛先としてファクシミリ送信する場合に選択される。「３．キャンセル」は、Ｓ１１６で特定された保留ジョブを保留ジョブテーブルから削除する場合に選択される。利用者は、「１．原稿追加」を選択する場合、操作部２８の「１」キーを押下し、「２．送信」を選択する場合、操作部２８の「２」キーを押下し、「３．キャンセル」を選択する場合、操作部２８の「３」キーを押下する。ＣＰＵ１２は、処理選択画面の表示に応じて入力された選択肢が「１．原稿追加」、「２．送信」又は「３．キャンセル」の何れであったかを判断する（Ｓ１２４）。
【００４０】
処理選択画面の表示に応じて、利用者が操作部２８の「２」キーを押下した場合（Ｓ１２４：送信）、ＣＰＵ１２は、処理をＳ１４０に移行する。利用者が操作部２８の「３」キーを押下した場合（Ｓ１２４：キャンセル）、ＣＰＵ１２は、送信キャンセル処理を実行する（Ｓ１２６）。Ｓ１２６でＣＰＵ１２は、保留ジョブテーブルにアクセスし、Ｓ１１６で特定された保留ジョブにおけるポインタを取得する。ＣＰＵ１２は、取得されたポインタに対応する送信データを記憶部１８から削除するように制御する。これによって、この送信データは、記憶部１８から削除される。続けて、ＣＰＵ１２は、Ｓ１１６で特定された保留ジョブを、保留ジョブテーブルから削除し、保留ジョブテーブルを更新する（Ｓ１２８）。
【００４１】
Ｓ１２８で削除された保留ジョブが、保留ジョブテーブルにおいて最後尾のジョブ番号（図３に基づけば、「ジョブＮｏ．：２」）ではない場合、削除されずに残った保留ジョブに対するジョブ番号を再付与するようにしてもよい。ジョブ番号の再付与を実行しない場合、図４のＳ１１４で新たに登録される保留ジョブに対して、空き番号となっているジョブ番号を割り振るようにしてもよい。Ｓ１２８を実行した後、ＣＰＵ１２は、送信処理を終了する。
【００４２】
処理選択画面の表示に応じて、利用者が操作部２８の「２」キーを押下した場合（Ｓ１２４：原稿追加）、ＣＰＵ１２は、例えば、「新たに読み取る原稿を追加（挿入）する位置を指定して下さい」との情報を含む位置指定画面（不図示）を表示部３０に表示するように制御する。この制御によって表示部３０には、前述した情報を含む位置指定画面が表示される。利用者は、操作部２８のテンキーを操作し、追加位置を入力する。例えば、Ｓ１１６で特定された保留ジョブが図３に示す保留ジョブテーブルの「ジョブＮｏ．：２」であって、３ページ目と４ページ目の間に、新たな原稿に対応するデータ部分を追加（挿入）する場合、利用者は、例えば、操作部２８の「４」キーを押下する。ＣＰＵ１２は、位置指定画面の表示に応じて入力された番号を位置情報として取得（前述した例に基づけば「位置情報：４」を取得）する。操作部２８に含まれる「１」〜「９」及び「０」の各キー以外のキーが押下された場合、又は、所定時間内に何れのキーも押下されない場合、追加する位置を最後尾部分として自動的に特定するようにしてもよい。
【００４３】
利用者は、位置指定画面の表示に応じて、操作部２８のテンキーを押下した後、又は、上述したような最後尾部分を自動的に特定する操作（所定時間内に何れのキーも押下しない場合を含む）に続けて、操作部２８のスタートキーを押下してスタート指令を入力する。ＣＰＵ１２は、利用者が操作部２８のスタートキーを押下して入力されたスタート指令を取得する（Ｓ１３２）。スタート指令を取得した後、ＣＰＵ１２は、「原稿台に原稿を載せ置いて下さい」との情報を含むメッセージ画面（不図示）を表示するように制御する。この制御によって表示部３０には、前述した情報を含むメッセージ画面が表示される。この点に関しては、上述した図４のＳ１０６からＳ１０８への移行の際と同様である。そのため、これに関する説明は省略する。
【００４４】
次に、ＣＰＵ１２は、原稿台２０に載せ置かれた原稿（１ページ分）の読み取りを実行するように制御する（Ｓ１３４）。これに伴い、読み取られた原稿に対応するデータ部分が生成される。ＣＰＵ１２は、保留ジョブテーブルにアクセスし、Ｓ１１６で特定された保留ジョブにおけるポインタを取得する。ＣＰＵ１２は、取得されたポインタに対応する送信データを記憶部１８から読み出し、ＲＡＭ１６に記憶する。ＣＰＵ１２は、ＲＡＭ１６に記憶された送信データを対象として、今回の読み取りによるデータ部分を、Ｓ１３０で取得された位置情報に従った位置に追加する処理を実行する。上述した例に基づけば、ＣＰＵ１２は、Ｓ１３０で取得された「位置情報：４」に従い、今回の読み取りによるデータ部分を、ＲＡＭ１６に記憶された送信データ（全５ページ分のデータ部分を含む  図３の「ジョブＮｏ．：２」参照）の３ページ目と４ページ目の間に追加する処理を実行する。その結果、送信データは、今回の読み取りによるデータ部分が４ページ目に追加された合計６ページ分のデータ部分を含む新たな送信データとなる。
【００４５】
読取部２４での読み取りが完了した後、ＣＰＵ１２は、図４のＳ１０８からＳ１１０への移行の際と同様、次ページ確認画面（図８参照）を表示するように制御する。この制御によって表示部３０には、次ページ確認画面が表示される。次ページ確認画面を表示部３０に表示させた後、ＣＰＵ１２は、次ページの有無を判断する（Ｓ１３６）。Ｓ１３６は、図４のＳ１１０と同様の処理であり、ＣＰＵ１２は、上記同様、次ページ確認画面の表示に応じた入力に従い、Ｓ１３６を実行する。次ページの原稿があり、利用者が次ページの原稿を原稿台２０に載せ置く等し、操作部２８の「１」キーを押下した場合（Ｓ１３６：あり）、ＣＰＵ１２は、処理をＳ１３４に戻し、再度、原稿台２０に載せ置かれた原稿（１ページ分）の読み取りを実行するように制御する（Ｓ１３４）。読取部２４では、原稿台２０に載せ置かれた原稿の読み取りが実行される。新たに生成される次ページの原稿に対応するデータ部分は、前回実行されたＳ１３４での読み取りによるデータ部分の次に追加される。操作部２８の「１」キーが押下され（Ｓ１３６：あり）、Ｓ１３４が再度実行される場合も、上述した位置指定画面（不図示）を表示し、その都度、位置情報を取得し、取得された位置情報に従った位置にデータ部分を追加するようにしてもよい。
【００４６】
次ページの原稿がない状態で、次ページ確認画面の表示に応じて、利用者が操作部２８の「２」キーを押下した場合（Ｓ１３６：なし）、ＣＰＵ１２は、処理をＳ１４０に移行する。次ページ確認画面の表示に対して、利用者が操作部２８の「１」及び「２」キーを押下せず、次ページ確認画面の表示からタイムアウト時間として予め設定された時間が経過した場合（Ｓ１３６：タイムアウト）、ＣＰＵ１２は、Ｓ１１６で特定された保留ジョブにおける情報を利用し、実行済みのＳ１３４に対応する新たな保留ジョブを保留ジョブテーブルに登録するように制御する（Ｓ１３８）。その際、ＣＰＵ１２は、Ｓ１１６で特定された保留ジョブにおけるポインタに対応する送信データを削除し、実行済みのＳ１３４での読み取りによる全てのデータ部分が追加された新たな送信データを記憶部１８に記憶（上書き）するように制御する。新たに登録される保留ジョブは、Ｓ１１６で特定された保留ジョブに上書きされて保留ジョブテーブルに登録される。この場合、新たな保留ジョブは、Ｓ１１６で特定された保留ジョブと同じジョブ番号で管理される。設定日時は、現在日時とされ、送信データへのポインタは、前述したように記憶された送信データの記憶先情報とされ、ページ数は、追加後のページ数とされる。相手先情報及びパスワードは、Ｓ１１６で特定された保留ジョブと同じとされる。Ｓ１３８を実行した後、ＣＰＵ１２は、処理をＳ１４０に移行する。
【００４７】
Ｓ１４０でＣＰＵ１２は、Ｓ１１６で特定された保留ジョブにおける相手先情報を宛先として送信データをファクシミリ送信するように制御する（Ｓ１４０）。通信部３４では、送信データが、相手先情報に対応する相手先装置５０にファクシミリ送信される。Ｓ１２４が「送信」と判断され、これに続けてＳ１４０が実行されている場合、送信対象となる送信データは、図４のＳ１１４に関連して記憶部１８に記憶された送信データである。ＣＰＵ１２は、Ｓ１４０に際し、Ｓ１１６で特定された保留ジョブにおけるポインタに従い、記憶部１８からこの送信データを読み出し、ＲＡＭ１６に記憶し、これを送信対象としてＳ１４０を実行する。Ｓ１３６で「なし」と判断され、これに続けてＳ１４０が実行されている場合、送信対象となる送信データは、実行済みのＳ１３４での読み取りによる全てのデータ部分が追加された状態でＲＡＭ１６に記憶された新たな送信データである。ＣＰＵ１２は、ＲＡＭ１６に記憶された新たな送信データを送信対象としてＳ１４０を実行する。ＣＰＵ１２は、Ｓ１４０を実行した後、ＲＡＭ１６に記憶された送信データを削除する。
【００４８】
続けて、ＣＰＵ１２は、Ｓ１１６で特定された保留ジョブを、保留ジョブテーブルから削除し、保留ジョブテーブルを更新する（Ｓ１４２）。保留ジョブの削除に際し、ＣＰＵ１２は、Ｓ１１６で特定された保留ジョブにおけるポインタに対応する送信データを記憶部１８から削除するように制御する。Ｓ１４２では、Ｓ１２８と同様、保留ジョブを削除後、ジョブ番号の再付与等を実行するようにしてもよい。Ｓ１４２を実行した後、ＣＰＵ１２は、送信処理を終了する。
【００４９】
本実施形態において、次ページ確認画面（図８参照）が表示されている状態で行われる操作部２８の「１」キーの押下（図４のＳ１１０、図５のＳ１３６：あり  参照）は、読取部２４で原稿が読み取られた状態で、原稿の読み取りを繰り返して実行するための再実行指令の入力に対応する。次ページ確認画面が表示されている状態で行われる操作部２８の「２」キーの押下（図４のＳ１１０、図５のＳ１３６：なし  参照）は、相手先情報を宛先として送信データをファクシミリ送信するための送信指令の入力に対応する。処理選択画面（図１０参照）が表示されている状態で行われる操作部２８の「２」キーの押下（図５のＳ１２４：送信  参照）は、送信指令の入力に対応する。処理選択画面が表示されている状態で行われる操作部２８の「１」キーの押下（図５のＳ１２４：原稿追加  参照）は、記憶部１８に記憶された送信データに追加するデータ部分の原稿の読み取りを実行するための追加実行指令に対応する。
【００５０】
＜本実施形態の効果＞
本実施形態によれば、次のような効果を得ることができる。
【００５１】
（１）送信データを相手先装置５０にファクシミリ送信するに際し、利用者が手動で原稿を原稿台２０に載せ置き、読み取りに関する処理（図４のＳ１０８、Ｓ１１０参照）が実行されている状態で、次の原稿の有無に対する操作（次ページ確認画面（図８参照）に応じた操作部２８の「１」キー又は「２」キーの押下）が行われず、タイムアウトとなってしまう場合（図４のＳ１１０：タイムアウト  参照）、実行済みのＳ１０８に対応して生成された送信データを記憶部１８に記憶し、Ｓ１０４で取得された相手先情報を含む諸情報を対応付けた保留ジョブを保留ジョブテーブル（図３参照）に登録する（図４のＳ１１４参照）こととした。通信装置１０では、送信種別選択画面（図６参照）の表示に応じて、操作部２８の「２」キーが押下された場合（図４のＳ１０２：Ｎｏ参照）、保留ジョブテーブルに登録された保留ジョブにおける送信データに対して、他の原稿に対応するデータ部分を追加した新たな送信データが生成され（図５のＳ１２４：原稿追加、１３４参照）、この新たな送信データが、保留ジョブにおける相手先情報に従い、ファクシミリ送信される（図５のＳ１４０参照）。
【００５２】
そのため、次ページ確認画面に応じて、操作部２８の「２」キーが押下されない場合であっても、時間の経過に伴い送信データが自動的に送信されてしまうといった事態の発生をなくすことができる。例えば、手動にて原稿を原稿台２０に載せ置き、原稿の読み取りが実行されている状態で、全ページ分の原稿が揃っていないことに気付き、不足している原稿を準備しなければならなくなることがある。このような場合、不足している原稿が準備できた段階で、不足分の原稿を追加し、追加された原稿に対応するデータ部分を含む送信データを、入力済みの相手先情報を宛先としてファクシミリ送信することができる。同様の処理を、保留ジョブとして管理されている送信データをファクシミリ送信する場合（図４のＳ１０２：Ｎｏ参照）にも実行（図５のＳ１３６：タイムアウト、Ｓ１３８参照）することとした。そのため、保留ジョブとして管理されている送信データをファクシミリ送信する場合も前述したような効果を得ることができる。
【００５３】
（２）複数の保留ジョブを保留ジョブテーブルに登録し、これによって、複数の保留ジョブを管理する（図３参照）こととした。保留ジョブとして管理されている送信データをファクシミリ送信する場合（図４のＳ１０２：Ｎｏ参照）、ジョブ指定画面（図９参照）を表示部３０に表示し、これに応じた入力に従い、１つの保留ジョブを特定する（図５のＳ１１６参照）こととした。そのため、記憶部１８に記憶された特定の送信データに、新たなデータ部分を追加することができる。未送信状態の複数の送信データを対象として、データ部分の追加を好適に実行することができる。
【００５４】
（３）保留ジョブとして管理されている送信データをファクシミリ送信する場合（図４のＳ１０２：Ｎｏ参照）、この送信データにおいて、読み取られた原稿に対応するデータ部分を追加する位置を指定する（図５のＳ１３０参照）こととした。そのため、追加される原稿に対応するデータ部分が以前の読み取りに対応して生成された送信データの適切な位置に追加された新たな送信データを生成し、これをファクシミリ送信することができる。
【００５５】
（４）パスワードを取得し（図４のＳ１０６参照）、パスワードにて保護された状態で、保留ジョブ（送信データ）を管理する（図３参照）こととした。その上で、保留ジョブとして管理されている送信データをファクシミリ送信する場合、パスワードによる認証を実行し（図５のＳ１１８、Ｓ１２０参照）、パスワードの一致（図５のＳ１２０：Ｙｅｓ参照）を条件として、送信データをファクシミリ送信する（図５のＳ１４０参照）こととした。そのため、保留ジョブテーブルでの管理対象である送信データのセキュリティを確保することができる。パスワードの取得を、原稿の読み取りが実行される前に実行する（図４のＳ１０６、Ｓ１０８参照）ことで、次ページ確認画面の表示に対して、タイムアウトとなった場合（図４のＳ１１０：タイムアウト  参照）であっても、保留ジョブにおいてパスワードを対応付けすることができる。
【００５６】
＜変形例＞
本実施形態は、次のようにすることもできる。
【００５７】
（１）上記では、送信データをファクシミリ送信する場合を例に説明した。本実施形態は、ファクシミリ送信とは異なる方式の送信についても採用することができる。例えば、本実施形態は、送信データを電子メールにて送信する場合にも採用することができる。この場合、追加のデータ部分を含む送信データが添付された電子メールが送信される。電子メールの場合の相手先情報は、電子メールアドレスである。
【００５８】
（２）上記では、図４のＳ１１０及び図５のＳ１３６でタイムアウトとなった場合（図４のＳ１１０、図５のＳ１３６：タイムアウト  参照）、保留ジョブテーブルへの登録を実行する（図４のＳ１１４、図５のＳ１３８参照）場合を例に説明した。次ページ確認画面（図８参照）に「３．保留」を設け、操作部２８の「３」キーの押下によって、保留に関する指令が取得された場合も、図４のＳ１１４及び図５のＳ１３８が実行されるようにしてもよい。次ページ確認画面における「３．保留」の入力は、操作部２８の「３」キーの押下による場合の他、操作部２８の所定のキー（図２には不図示の専用のキーであってもよい）に「３．保留」を対応付け、このキーの押下によって入力されるようにしてもよい。ＣＰＵ１２は、この所定のキーが押下された場合、保留に関する指令を取得する。
【００５９】
（３）上記では、保留ジョブテーブルにおける管理項目として相手先情報を含め（図３参照）、相手先情報が他の各情報に対応付けされた保留ジョブに基づき、保留ジョブとして管理されている送信データをファクシミリ送信する場合（図４のＳ１０２：Ｎｏ参照）、再度の相手先情報の入力を省略した構成を例に説明した。保留ジョブとして管理されている送信データをファクシミリ送信する場合（図４のＳ１０２：Ｎｏ参照）についても、相手先情報の入力を受け付け、ＣＰＵ１２は、入力された相手先情報を取得し、図５のＳ１４０で、新たに取得された相手先情報に従い、送信データをファクシミリ送信するように制御してもよい。この場合、保留ジョブテーブルへの相手先情報の登録は省略してもよい。
【００６０】
例えば、図５のＳ１２０が肯定された場合（図５のＳ１２０：Ｙｅｓ参照）、相手先情報の入力を受け付け、入力された相手先情報を取得するようにするとよい。また、図５のＳ１２４が「送信」と判断され、処理がＳ１４０に移行するに際し、相手先情報の入力を受け付け、入力された相手先情報を取得するようにしてもよい。この場合、図５のＳ１２４が「原稿追加」と判断される状態では、例えば、図４のＳ１０４の場合と同様、Ｓ１３０からＳ１３２への移行に際し、相手先情報の入力を受け付け、Ｓ１３２で入力された相手先情報を取得するようにするとよい。この他、再度、相手先情報を入力するか否かを利用者に確認し、その結果に応じて、入力するか否かを判断するようにしてもよい。保留ジョブとして管理されている送信データをファクシミリ送信する場合（図４のＳ１０２：Ｎｏ参照）にも相手先情報を再入力できる構成によれば、例えば、以前の相手先情報が誤っていた場合、正しい相手先情報を宛先として送信データをファクシミリ送信することができる。別の相手先情報を宛先とすることもできる。
【符号の説明】
【００６１】
１０  通信装置
１２  ＣＰＵ
１４  ＲＯＭ
１６  ＲＡＭ
１８  記憶部
２０  原稿台
２２  原稿台カバー
２４  読取部
２６  印刷部
２８  操作部
３０  表示部
３２  音声出力部
３４  通信部
３６  計時部
３８  バス
５０  相手先装置
６０  ネットワーク
【図１】
2014165555.tif 000003
【図２】
2014165555.tif 000004
【図３】
2014165555.tif 000005
【図４】
2014165555.tif 000006
【図５】
2014165555.tif 000007
【図６】
2014165555.tif 000008
【図７】
2014165555.tif 000009
【図８】
2014165555.tif 000010
【図９】
2014165555.tif 000011
【図１０】
2014165555.tif 000012